(57)【要約】【課題】本発明は、入力信号に対する正確な同期調整をすることができる表示装置及び表示装置の駆動方法を提供することを目的とする。【解決手段】本発明の一実施形態による表示装置の駆動方法は、映像信号を出力する期間を含む１フレーム期間において、外部から入力される入力信号に基づき、映像信号が出力される水平期間を規定する第１水平同期信号を出力し、長さが固定された期間で第１水平同期信号に代えて、入力信号から独立して生成された第２水平同期信号を出力する。【選択図】図２
2016001251.tif 000002
【特許請求の範囲】
【請求項１】
映像信号を出力する期間を含む１フレーム期間において、
外部から入力される入力信号に基づき、前記映像信号が出力される水平期間を規定する第１水平同期信号を出力し、
長さが固定された期間で前記第１水平同期信号に代えて、前記入力信号から独立して生成された第２水平同期信号を出力することを特徴とする表示装置の駆動方法。
【請求項２】
前記第２水平同期信号を出力する期間は、前記１フレーム期間において前記映像信号の出力が終了してから、前記１フレーム期間の次の１フレーム期間の映像信号の出力が開始するまでの間に所定の長さで設けられていることを特徴とする請求項１に記載の表示装置の駆動方法。
【請求項３】
前記第２水平同期信号を出力する期間において、前記表示装置の動作状態を設定するコマンド信号が出力されることを特徴とする請求項１又は２に記載の表示装置の駆動方法。
【請求項４】
前記コマンド信号が出力される期間は、前記第２水平同期信号よりも長いことを特徴とする請求項３に記載の表示装置の駆動方法。
【請求項５】
前記第１水平同期信号の第１周期を記憶し、
前記第１周期に基づいて前記第２水平同期信号の第２周期を決定することを特徴とする請求項１乃至４のいずれか一に記載の表示方法の駆動方法。
【請求項６】
前記コマンド信号と、前記映像信号とを同一バスを介して入出力を行うことを特徴とする、請求項３に記載の表示装置の駆動方法。
【請求項７】
映像信号に応じて映像を表示する表示部と、
前記映像信号を前記表示部の各々の画素に供給する駆動部と、
バスラインを介して外部から受信した前記映像信号を前記表示部に供給するタイミングを制御する制御部と、
前記バスラインを介して前記駆動部の動作状態を設定するコマンド信号を前記制御部に送信するコマンド送信部と、
前記制御部に供給される水平同期信号を、外部から入力される入力信号に基づいて供給される第１水平同期信号又は前記入力信号から独立して生成された第２水平同期信号に切り換える切り替え部と、
を有することを特徴とする表示装置。
【請求項８】
映像信号に応じて映像を表示する表示部と、
前記映像信号を前記表示部の各々の画素に供給する駆動部と、
バスラインを介して外部から受信した前記映像信号を前記表示部に供給するタイミングを制御する制御部と、
前記バスラインを介して前記駆動部の動作状態を設定するコマンド信号を前記制御部に送信するコマンド送信部と、
前記制御部に供給される水平同期信号を、外部から入力される入力信号に基づいて供給される第１水平同期信号又は前記第１水平同期信号の第１周期に基づいて決定された第２水平同期信号に切り換える切り替え部と、
を有することを特徴とする表示装置。
【請求項９】
前記切り替え部は、
前記制御部に前記映像信号が供給されているときは前記制御部に前記第１水平同期信号を供給し、
前記制御部に前記コマンド信号が供給されているときは前記制御部に前記第２水平同期信号を供給することを特徴とする請求項７または８に記載の表示装置。
【発明の詳細な説明】
【技術分野】
【０００１】
本発明は、表示装置及び表示装置の駆動方法に関する。特に、１フレーム期間における水平同期信号の出力方法に関する。
【背景技術】
【０００２】
近年、液晶表示装置（ＬＣＤ：Liquid Crystal Display Device）や、有機ＥＬ表示装置などに代表される薄型の表示装置において、表示画面の高精細化や映像表示の駆動周波数の高速化など、映像の高画質化のために映像信号が多様化している。この多様化した入力映像信号に対して同期調整を行うためには、入力映像信号から垂直同期信号及び水平同期信号を抽出し、これらに同期させて駆動回路を動作させるようにタイミング制御している（例えば、特許文献１）。
【先行技術文献】
【特許文献】
【０００３】
【特許文献１】特開平０７−２３０２６６号公報
【発明の概要】
【発明が解決しようとする課題】
【０００４】
例えば画面に表示する映像信号と駆動回路を動作させるコマンド信号とを同一のバスラインで送信する場合、コマンド信号は映像信号が送信されないブランク期間に送信される。ブランク期間とは、あるフレーム期間の最後の映像信号が送信されてから次のフレーム期間の最初の映像信号が送信されるまでの期間である。このブランク期間においても垂直同期信号と水平同期信号とのタイミングがずれないように制御する必要がある。
【０００５】
コマンド信号には多様な形式の信号が存在するが、その形式によらずコマンド信号をブランク期間内に送信しつつ、次の１水平期間を正常なタイミングで開始する必要がある。そこで本発明は、ブランク期間における正確な同期調整をすることができる表示装置及び表示装置の駆動方法を提供することを目的とする。
【課題を解決するための手段】
【０００６】
本発明の一実施形態による表示装置の駆動方法は、映像信号を出力する期間を含む１フレーム期間において、外部から入力される入力信号に基づき、映像信号が出力される水平期間を規定する第１水平同期信号を出力し、長さが固定された期間で第１水平同期信号に代えて、入力信号から独立して生成された第２水平同期信号を出力する。
【０００７】
本発明の他の一実施形態による表示装置は、映像信号に応じて映像を表示する表示部と、映像信号を表示部の各々の画素に供給する駆動部と、バスラインを介して外部から受信した映像信号を表示部に供給するタイミングを制御する制御部と、バスラインを介して駆動部の動作状態を設定するコマンド信号を制御部に送信するコマンド送信部と、制御部に供給される水平同期信号を、外部から入力される入力信号に基づいて供給される第１水平同期信号又は入力信号から独立して生成された第２水平同期信号に切り換える切り替え部と、を有する。
【０００８】
本発明の他の一実施形態による表示装置は、映像信号に応じて映像を表示する表示部と、映像信号を表示部の各々の画素に供給する駆動部と、バスラインを介して外部から受信した映像信号を表示部に供給するタイミングを制御する制御部と、バスラインを介して駆動部の動作状態を設定するコマンド信号を制御部に送信するコマンド送信部と、制御部に供給される水平同期信号を、外部から入力される入力信号に基づいて供給される第１水平同期信号又は第１水平同期信号の第１周期に基づいて決定された第２水平同期信号に切り換える切り替え部と、を有する。
【図面の簡単な説明】
【０００９】
【図１】本発明の実施形態１に係る表示装置の構成を示すブロック図である。
【図２】本発明の実施形態１に係る表示装置の駆動方法を示す図である。
【図３】本発明の実施形態１の変形例に係る表示装置の駆動方法を示す図である。
【発明を実施するための形態】
【００１０】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
〈実施形態１〉
［表示装置の構成］
図１は、本発明の実施形態１に係る表示装置の構成を示すブロック図である。図１に示すように、表示装置１０は、映像信号に応じて映像を表示する表示部１００と、映像信号を表示部１００に配置された各々の画素に走査線１１４及び信号線１１６を介して供給する駆動部１１０及び１１２と、バスライン１２２を介して外部から受信した映像信号１２４を表示部１００に供給するタイミングを制御する制御部１２０と、バスライン１２２を介して駆動部１１０及び１１２の動作状態を設定するコマンド信号を制御部１２０に送信するコマンド送信部１３０と、制御部１２０に供給される水平同期信号を、第１同期信号生成部１４２によって生成された第１水平同期信号又は第２同期信号生成部１４４によって生成された第２水平同期信号に切り換える切り替え部１４０とを有する。ここで、第１同期信号生成部１４２と第２同期信号生成部１４４とは互いに独立して水平同期信号を生成する。また、第１同期信号生成部１４２及び第２同期信号生成部１４４は、表示装置１０とは別個の外部機器に含まれる回路であってもよく、また、表示装置１０に含まれる回路であってもよい。
【００１２】
図１において、表示部１００に配置された各々の画素は走査線１１４と信号線１１６との交差点付近に配置される（図示しない）。駆動部１１０は、各行に配置された画素に対応して設けられた走査線１１４を介して表示部１００に接続されている。また、駆動部１１２は、各列に配置された画素に対応して設けられた信号線１１６を介して表示部１００に接続されている。表示部１００がアクティブマトリクス回路である場合、走査線１１４は各画素に配置されたトランジスタのゲート電極に接続され、信号線１１６は該トランジスタのソース電極、ドレイン電極のいずれか一方に接続される。
【００１３】
ここで、駆動部１１０は映像信号の書き込みを実行する各画素行を選択する駆動回路であり、各行毎に所定の順番で順次排他的に画素行を選択する。また、駆動部１１２は映像信号に基づいた階調データ電圧を各画素列に供給する駆動回路であり、駆動部１１０によって選択された行の画素に対して順次階調データ電圧を供給する。
【００１４】
制御部１２０は、駆動部１１０及び１１２に接続されており、外部から入力されるデータイネーブル信号及び映像信号、また、上記の水平同期信号に基づいて駆動部１１０及び１１２の動作タイミングを制御する。タイミング制御のための信号としては、外部から入力された映像信号のフレーム期間を規定する垂直同期信号Ｖｓｙｎｃ、水平期間を規定する水平同期信号Ｈｓｙｎｃを含む。また、制御部１２０は、後述するコマンド送信部１３０から駆動部１１０及び１１２の動作を設定するコマンド信号を受信し、該コマンド信号の内容を解析して駆動部１１０及び１１２の動作を制御する。
【００１５】
コマンド送信部１３０は、上記のとおり、バスライン１２２を介して制御部１２０に接続されており、駆動部１１０、１１２の動作を設定するコマンド信号を制御部１２０に送信する。コマンド信号としては、表示装置の動作状態を規定するものと、表示装置の動作条件を規定するものとに大別される。前者の一例としては、表示のオン、オフ等が挙げられる。後者の一例としては、駆動部１１０及び１１２の動作タイミング、電源のオン、オフ、及び各電圧条件、映像信号のγ補正に関する係数、同期設定等が挙げられる。
【００１６】
切り替え部１４０は、制御部１２０、第１同期信号生成部１４２、及び第２同期信号生成部１４４に接続されており、第１同期信号生成部１４２から出力される第１水平同期信号又は第２同期信号生成部１４４から出力される第２水平同期信号のいずれかを選択して制御部１２０に送信する。ここで、第１又は第２水平同期信号の切り替えのタイミングは予め決められている。具体的には、最終行の映像信号が送信された後に上記の水平同期信号が切り替えられる。上記の切り替えのタイミングを設定するために、切り替え部１４０は水平同期信号をカウントし、所定の数の水平同期信号をカウントすると上記の水平同期信号の切り替えを実行させる信号を出力するカウンタ部を有していてもよい。また、制御部１２０が駆動部１１０及び１１２に映像信号を出力しているときは、切り替え部１４０は制御部１２０に第１水平同期信号を供給し、制御部１２０が駆動部１１０及び１１２にコマンド信号を出力しているときは、切り替え部１４０は制御部１２０に第２水平同期信号を供給してもよい。
【００１７】
第１同期信号生成部１４２が表示装置１０に含まれる場合は、外部から入力された映像信号から垂直同期信号Ｖｓｙｎｃ及び水平同期信号Ｈｓｙｎｃ１を分離する同期信号分離回路を有していてもよい。また、第１同期信号生成部１４２が表示装置１０とは別個の外部機器に含まれる場合は、ＩＣチップやその他の外部機器から入力される基本クロックをカウントし、１水平期間に相当する期間毎にパルス信号を送信するカウンタ回路を有していてもよい。
【００１８】
第２同期信号生成部１４４は、第１同期信号生成部１４２とは独立して第２水平同期信号を生成する。第２同期信号生成部１４４は、第２水平同期信号を第１水平同期信号と同期させて、両水平同期信号を同じ周期に調整する同期調整部を有していてもよい。また、第２同期信号生成部１４４は、表示期間中の第１水平同期信号の周期を記憶し、第１水平同期信号と同じ周期の第２水平同期信号を生成してもよい。つまり、第２水平同期信号は第１水平同期信号に基づいて決定されてもよい。また、第２同期信号生成部１４４は、予め設定された１水平期間に相当する周期を入力されている他の信号に基づいて生成してもよい。ここで、入力されている他の信号としては、生成する第２水平同期信号よりも、例えば２倍程度以上に速い周期を有する信号であれば良く、具体的には基本クロック信号等が考えられる。
【００１９】
［表示装置の駆動方法］
図２は、本発明の実施形態１に係る表示装置の駆動方法を示す図である。まず、図２に示す各信号について説明する。図２では、外部から入力された映像信号のフレーム期間を規定する垂直同期信号Ｖｓｙｎｃ及び水平期間を規定する第１水平同期信号Ｈｓｙｎｃ１、ＩＣチップや外部機器から送信される基本クロックＭＣＬＫ、表示部１００の各々の画素に対して映像信号の書き込みが可能であることを示すデータイネーブル信号ＤＥ、映像信号に基づき各画素の階調レベルを決定する階調データ電圧Ｖｄａｔａ、駆動部の動作を設定するコマンド信号Ｃｏｍｍａｎｄ、出力する水平同期信号を選択する切り替え信号Ｓｅｌｅｃｔ、第１水平同期信号Ｈｓｙｎｃ１とは独立して生成され、第１水平同期信号Ｈｓｙｎｃ１と同じ周期を有する第２水平同期信号Ｈｓｙｎｃ２のタイミングチャートを示す。
【００２０】
ここで、第１水平同期信号Ｈｓｙｎｃ１は、外部から映像信号と共に入力されるか、あるいは第１同期信号生成部１４２によって生成され、第２水平同期信号Ｈｓｙｎｃ２は第２同期信号生成部１４４によって生成される。また、切り替え信号Ｓｅｌｅｃｔがハイレベルの場合は、切り替え部１４０は第１同期信号生成部１４２から出力される第１水平同期信号Ｈｓｙｎｃ１を制御部１２０に出力し、切り替え信号Ｓｅｌｅｃｔがローレベルの場合は、切り替え部１４０は第２同期信号生成部１４４から出力される第２水平同期信号Ｈｓｙｎｃ２を制御部１２０に出力する。このとき、第１水平同期信号が第１同期信号生成部１４２によって生成されている場合は、切り替え部１４０によって切り離されるが、第１水平同期信号が外部から映像信号と共に入力されている場合、当該期間はコマンド送信によってその周期が正しくないものとなっているため、制御部１２０において切り離される必要がある。
【００２１】
ここで、垂直同期信号Ｖｓｙｎｃの１フレーム期間２００はフレーム周波数によって決定される。例えば、６０Ｈｚの映像信号であれば１／６０ｓｅｃ間隔でパルス信号が発生し、２４０Ｈｚの映像信号であれば１／２４０ｓｅｃ間隔でパルス信号が発生する。
【００２２】
第１水平同期信号Ｈｓｙｎｃ１は、表示部１００の走査線１１４によって制御される画素１行分の階調データ電圧Ｖｄａｔａの書き込み期間を規定するパルス信号を有する同期信号である。例えば、１９２０×１０８０の解像度を有する表示部１００の場合、１フレーム期間において第１水平同期信号Ｈｓｙｎｃ１は少なくとも１０８０以上のパルス信号を有する。上記のように、第１水平同期信号Ｈｓｙｎｃ１は、垂直同期信号Ｖｓｙｎｃと同じように映像信号から分離されてもよく、また、基本クロックＭＣＬＫの所定のカウント数に基づいて出力されてもよい。
【００２３】
ここで、データイネーブル信号ＤＥ及び階調データ電圧Ｖｄａｔａは、各行の画素毎に出力され、上記の垂直同期信号Ｖｓｙｎｃ及び第１水平同期信号Ｈｓｙｎｃ１のパルス信号のカウント数に基づいてタイミング制御される。図２では、フレーム期間開始と同時に出力される最初の第１水平同期信号Ｈｓｙｎｃ１のパルス信号の後に１行目のデータイネーブル信号ＤＥ及び階調データ電圧Ｖｄａｔａが出力されており、表示画像のデータ書き込みが行われている。そして、１０８０行目のデータイネーブル信号ＤＥ及び階調データ電圧Ｖｄａｔａの出力が終了してから、次のフレーム期間の１行目のデータイネーブル信号ＤＥ及び階調データ電圧Ｖｄａｔａの出力が開始されるまでは、データイネーブル信号ＤＥ及び階調データ電圧Ｖｄａｔａの信号は出力されない。このように、ブランク期間においてはデータイネーブル信号ＤＥ及び階調データ電圧Ｖｄａｔａが出力されない。
【００２４】
第２水平同期信号Ｈｓｙｎｃ２は、第１水平同期信号Ｈｓｙｎｃ１とは独立して生成された信号である。また、第２水平同期信号Ｈｓｙｎｃ２は、第１水平同期信号Ｈｓｙｎｃ１に同期し、第１水平同期信号Ｈｓｙｎｃ１の第１周期２１０（水平期間）と同じ長さの第２周期２５０の同期信号である。図２に示すように、第１水平同期信号Ｈｓｙｎｃ１のパルス信号が出力されない期間においても、第２水平同期信号Ｈｓｙｎｃ２はパルス信号を出力する。
【００２５】
次に、駆動方法について説明する。図２によると、実施形態１に係る表示装置の駆動方法は、映像信号（階調データ電圧Ｖｄａｔａ）を出力する期間を含む１フレーム期間２００において、外部から入力される入力信号に基づき、映像信号が出力される水平期間である第１周期２１０を規定する第１水平同期信号Ｈｓｙｎｃ１を第１期間２２０において出力し、長さが固定された第２期間２２２で第１水平同期信号Ｈｓｙｎｃ１に代えて、該入力信号から独立して生成された第２水平同期信号Ｈｓｙｎｃ２を出力する。
【００２６】
ここで、上記の第２期間２２２は１フレーム期間２００において映像信号の出力が終了する第１ポイント２３０から、１フレーム期間２００の次の１フレーム期間の映像信号の出力が開始する第２ポイント２３１までの間に所定の長さで設けられている。また、上記の第２期間２２２において、第２周期２５０よりも長い期間２４１を有するコマンド信号Ｃｏｍｍａｎｄがバスを介して出力されている。ここで、第２周期２５０は、第１期間２２０における第１水平同期信号Ｈｓｙｎｃ１の第１周期２１０を記憶し、その第１周期２１０に基づいてその周期の長さが決定されてもよい。
【００２７】
上記では、第２水平同期信号Ｈｓｙｎｃ２の第２周期２５０の長さを決定する方法として、第１水平同期信号Ｈｓｙｎｃ１の第１周期２１０に基づいて決定する方法について例示したが、この方法に限定されず、例えば基本クロックＭＣＬＫに基づいて決定してもよい。具体的には、第１周期２１０の長さを基本クロックＭＣＬＫのカウント数として記憶し、そのカウント数に基づいて第２周期２５０を決定してもよい。また、第１水平同期信号Ｈｓｙｎｃ１を参照せずに、予め決定された基本クロックのカウント数に基づいて第２周期２５０を決定してもよい。
【００２８】
また、第１水平同期信号から第２水平同期信号に切り換える第１ポイント２３０は、１フレームの全ての画素の書き込みが終了した時点以降の１水平期間内であればよく、多様な方法で決定することができる。例えば、第１水平同期信号Ｈｓｙｎｃ１のパルス信号のカウント数、出力されたデータイネーブル信号ＤＥのカウント数、出力された階調データ電圧Ｖｄａｔａのカウント数、全画素の書き込み終了までに要する基本クロックＭＣＬＫのカウント数、又は全ての階調データ電圧Ｖｄａｔａの書き込みが終了したことを示すトリガ信号などに基づいて決定されてもよい。
【００２９】
また、実施形態１に示す例では、１フレーム期間のブランク期間において、第１水平同期信号よりも出力期間が長いコマンド信号を出力するケースについて例示したが、このケースに限定されず、水平同期信号が乱れる可能性があるケースの全てにおいて、適用することができる。その場合は、水平同期信号が乱れる可能性がある期間が、フレーム期間内の決まったタイミングで発生するようにしておき、当該タイミングの前に第１水平同期信号Ｈｓｙｎｃ１に代えて第２水平同期信号Ｈｓｙｎｃ２を出力するようにすればよい。
【００３０】
以上のように、実施形態１に係る表示装置及び表示装置の駆動方法によると、第１水平同期信号が出力されない又は乱れる場合であっても、第１水平同期信号に代えて第２水平同期信号を出力しているため、外部から入力された信号に拘わらず、表示装置側の正確な同期調整をすることができる。
【００３１】
上記に対して、実施形態１の構成及び駆動方法を有さない場合について説明する。高速伝達が可能な差動インターフェースより低消費電力かつデータエラーのない確実な信号伝送が可能なＣＭＯＳインターフェースでコマンド信号を送信する場合はコマンド信号を１水平期間内に送信することができない場合がある。例えば、差動インターフェースとＣＭＯＳインターフェースとの切り替えが可能な仕様では、映像信号は差動インターフェースで送信し、コマンド信号はブランク期間を利用してＣＭＯＳインターフェースで送信することで、低消費電力かつ確実な信号伝送をすることができるが、コマンド信号を１水平期間内に送信することができない場合、ブランク期間における垂直同期信号と水平同期信号とのタイミングがずれてしまう。
【００３２】
上記のように、１フレーム期間のブランク期間においてコマンド信号をＣＭＯＳインターフェースで送信する場合、１水平期間内にコマンド信号の送信が完了せず、コマンド信号の送信中は水平同期信号を出力することができなくなってしまう。このように、ブランク期間で水平同期信号を出力することができないと垂直同期信号と水平同期信号とのタイミングがずれてしまい、入力信号に対する同期調整ができなくなってしまう。
【００３３】
〈実施形態１の変形例〉
図３は、本発明の実施形態１の変形例に係る表示装置の駆動方法を示す図である。図３に示すタイミングチャートは、図２に示すタイミングチャートと類似しているが、図３に示すタイミングチャートは第２水平同期信号Ｈｓｙｎｃ２が第２期間２２２でのみ出力されており、第１期間２２０では出力されていない点において、図２に示すタイミングチャートとは相違する。
【００３４】
以上のように、第２期間２２２の期間においてのみ第２水平同期信号Ｈｓｙｎｃ２を出力することで、第２水平同期信号Ｈｓｙｎｃ２を生成する回路の動作回数を少なくすることができるため、より低消費電力で表示装置を駆動することができる。
【００３５】
なお、本発明は上記の実施形態に限られたものではなく、趣旨を逸脱しない範囲で適宜変更することが可能である。
【符号の説明】
【００３６】
１０：表示装置
１００：表示部
１１０、１１２：駆動部
１１４：走査線
１１６：信号線
１２０：制御部
１２２：バスライン
１３０：コマンド送信部
１４０：切り替え部
１４２：第１同期信号生成部
１４４：第２同期信号生成部
２００：１フレーム期間
２１０：第１周期
２２０：第１期間
２２２：第２期間
２５０：第２周期
ＤＥ：データイネーブル信号
Ｈｓｙｎｃ１：第１水平同期信号
Ｈｓｙｎｃ２：第２水平同期信号
ＭＣＬＫ：基本クロック
Ｖｄａｔａ：階調データ電圧
Ｖｓｙｎｃ：垂直同期信号
【図１】
2016001251.tif 000003
【図２】
2016001251.tif 000004
【図３】
2016001251.tif 000005